(57)【要約】【課題】  送信すべき情報に基づく電界を電界伝達媒体に誘起させるとともに電界伝達媒体に誘起された電界を検出して情報の送受信を行うトランシーバを利用して生体通信サービスを行う場合、利用者が意図しないサービスの提供を防ぐことができる。【解決手段】  トランシーバ１は、コンピュータ７からの送信データを入出力回路９０１を介して受け取ると、送信部９０２を介して送受信電極９０３ａに供給し、電界伝達媒体に電界を誘起させる。また、電界伝達媒体に誘起されて伝達されてくる電界を絶縁膜９０４ａおよび９０４ｂを介してそれぞれ送受信電極９０３ａおよび９０３ｂで検出し、この電界を受信部９１０ａおよび９１０ｂで電気信号（受信信号）に変換し、更に波形整形回路９０７ａおよび９０７ｂで波形整形してから、比較判定部１０１でそれぞれの受信信号を比較し、一致する場合には、受信信号１が入出力回路９０１を介してコンピュータに出力される。【選択図】      図１
2005159618.tif 000002
【特許請求の範囲】
【請求項１】
送信すべき情報に基づく電界を電界伝達媒体に誘起させるとともにこの誘起した電界を検出して情報の送受信を行うトランシーバにおいて、
電界伝達媒体に対して電界を誘起するとともに、電界伝達媒体に誘起された電界を受信する、適宜間隔をあけて配置された複数の送受信電極と、
前記複数の送受信電極それぞれに対応して設けられ、受信した電界を電気的な受信信号に変換する複数の受信手段と、
前記受信信号を受信情報として出力する出力手段と、
前記複数の受信手段で受信したそれぞれの受信信号を比較し、それぞれの受信信号が一致した場合には、前記受信情報を出力するように前記出力手段を制御する比較判定手段と、
を有することを特徴とするトランシーバ。
【請求項２】
送信すべき情報に基づく電界を電界伝達媒体に誘起させるとともにこの誘起した電界を検出して情報の送受信を行うトランシーバにおいて、
電界伝達媒体に対して電界を誘起するとともに、電界伝達媒体に誘起された電界を受信する、適宜間隔をあけて配置された複数の送受信電極と、
前記複数の送受信電極それぞれに対応して設けられ、受信した電界を電気的な受信信号に変換する複数の受信手段と、
前記受信信号を受信情報として出力する出力手段と、
送信すべき情報である送信信号と、該送信信号を電界に誘起させた送受信電極とは異なる送受信電極から受信した前記受信信号とを比較し、前記受信信号に前記送信信号が含まれていた場合には、前記受信情報を出力するように前記出力手段を制御する比較判定手段と、
を有することを特徴とするトランシーバ。
【請求項３】
送信すべき情報に基づく電界を電界伝達媒体に誘起させるとともにこの誘起した電界を検出して情報の送受信を行うトランシーバにおいて、
電界伝達媒体に対して電界を誘起するとともに、電界伝達媒体に誘起された電界を受信する、適宜間隔をあけて配置された複数の送受信電極と、
前記複数の送受信電極それぞれに対応して設けられ、受信した電界を電気的な受信信号に変換する複数の受信手段と、
前記受信信号を受信情報として出力する出力手段と、
判定信号を生成するとともに、該判定信号を前記送受信電極のいずれかに送信する判定信号送信手段と、
前記判定信号送信手段で生成された前記判定信号と、前記判定信号を電界に誘起させた送受信電極とは異なる送受信電極から受信した前記受信信号とを比較し、前記受信信号に前記判定信号が含まれていた場合には、前記受信情報を出力するように前記出力手段を制御する比較判定手段と、
を有することを特徴とするトランシーバ。
【請求項４】
前記複数の送受信電極の電極間は、絶縁体で構成されていることを特徴とする請求項１乃至３のいずれか１項に記載のトランシーバ。
【請求項５】
送信すべき情報に基づく電界を電界伝達媒体に誘起させるとともにこの誘起した電界を検出して情報の送受信を行うトランシーバと、該トランシーバと相互に通信可能なコンピュータと、を備えたトランシーバを用いたコンピュータシステムにおいて、
前記トランシーバは、
電界伝達媒体に対して電界を誘起するとともに、電界伝達媒体に誘起された電界を受信する、適宜間隔をあけて配置された複数の送受信電極と、
前記複数の送受信電極それぞれに対応して設けられ、受信した電界を電気的な受信信号に変換する複数の受信手段と、
前記複数の受信信号に対応した複数の受信情報として前記コンピュータに出力する出力手段と、
を有し、
前記コンピュータは、
前記複数の受信情報それぞれを比較する比較判定手段と、
前記比較判定手段において前記複数の受信情報が一致した場合には、該受信情報を有効とする通信制御手段と、
を有することを特徴とするトランシーバを用いたコンピュータシステム。
【請求項６】
送信すべき情報に基づく電界を電界伝達媒体に誘起させるとともにこの誘起した電界を検出して情報の送受信を行うトランシーバと、該トランシーバと相互に通信可能なコンピュータと、を備えたトランシーバを用いたコンピュータシステムにおいて、
前記トランシーバは、
電界伝達媒体に対して電界を誘起するとともに、電界伝達媒体に誘起された電界を受信する、適宜間隔をあけて配置された複数の送受信電極と、
前記複数の送受信電極それぞれに対応して設けられ、受信した電界を電気的な受信信号に変換する複数の受信手段と、
送信すべき情報を電界に誘起させた送受信電極とは異なる送受信電極から受信した前記受信信号を受信情報として前記コンピュータに出力する出力手段と、
を有し、
前記コンピュータは、
前記送信すべき情報と前記受信情報とを比較する比較判定手段と、
前記比較判定手段において前記受信情報に前記送信すべき情報が含まれていた場合には、該受信情報を有効とする通信制御手段と、
を有することを特徴とするトランシーバを用いたコンピュータシステム。
【請求項７】
前記複数の送受信電極の電極間は、絶縁体で構成されていることを特徴とする請求項５又は６に記載のトランシーバを用いたコンピュータシステム。
【発明の詳細な説明】
【技術分野】
【０００１】
本発明は、トランシーバ、及びトランシーバを用いたコンピュータシステムに関し、特に、送信すべき情報に基づく電界を電界伝達媒体に誘起させるとともに電界伝達媒体に誘起された電界を検出して情報の送受信を行うトランシーバ、及びトランシーバを用いたコンピュータシステムシステムに関する。
【背景技術】
【０００２】
携帯端末の小型化および高性能化によりウェアラブルコンピュータが注目されているが、図１３はこのようなウェアラブルコンピュータを人間に装着して使用する場合の例を示している。同図に示すように、ウェアラブルコンピュータ７はそれぞれトランシーバ９を介して人間の腕、肩、胴体などに装着されて互いにデータの送受信を行うとともに、更に手足の先端で触れられるよう壁や床に設けられたトランシーバ９ａ、９ｂとケーブルとを介して外部に設けられたパソコン（ＰＣ）８と通信を行っている。
【０００３】
ここで、このようなウェアラブルコンピュータ７間、およびウェアラブルコンピュータ７とＰＣ８間とのデータ通信に使用されるトランシーバ９は、例えば、図１４に示すような構成をしており、レーザ光と電気光学結晶を用いた電気光学的手法による信号検出技術を利用していて、送信すべき情報に基づく電界を電界伝達媒体である生体に誘起させ、この誘起した電界を用いて情報の送受信を行うものである。
【０００４】
より詳しくは、トランシーバ９は、コンピュータからの送信データを入出力（Ｉ／Ｏ）回路９０１を介して受け取ると、この送信データを送信部９０２を介して送受信電極９０３に供給し、該送受信電極９０３および絶縁膜９０４を介して電界伝達媒体に電界を誘起させ、この電界を電界伝達媒体の他の部位に伝達させるようになっている。また、電界伝達媒体に誘起されて伝達されてくる電界を絶縁膜９０４を介して送受信電極９０３で検出し、この電界を電界検出光学部９０５に結合して電気信号に変換するようになっている。そして、この電気信号は、信号処理回路９０６で増幅、雑音除去などの信号処理を施され、更に波形整形回路９０７で波形整形されてから、入出力（Ｉ／Ｏ）回路９０１を介してコンピュータに出力されるようになっている。
【０００５】
尚、この出願に関連する先行技術文献情報としては、次のものがある。
【特許文献１】特開２００１−３５２２９８公報
【発明の開示】
【発明が解決しようとする課題】
【０００６】
上記のようなウェアラブルコンピュータ７およびトランシーバ９を用いての生体通信は、様々なサービス提供に寄与するところであるが、生体通信は明示的な操作意思がなくても、通信が成立してしまうので、利用者が意図しないサービスが提供されてしまう可能性がある。例えば、上記生体通信を使ったサービスを自動販売機に適用した場合、即ち、利用者が電子マネー情報を有するウェアラブルコンピュータ７及びトランシーバ９を備え、自動販売機がトランシーバ９ａ及びコンピュータ８を備えているようなシステム構成下で、利用者が自動販売機の購入ボタン（送受信電極９０３）に触れると、自動的に缶ジュースの購入及びお金の精算がされるようなサービスの場合、誤って自動販売機の購入電極９０３に触れてしまうと、意図しない商品購入をしてしまうことが考えられる。
【０００７】
本発明は、上記の事情を鑑みたものであり、送信すべき情報に基づく電界を電界伝達媒体に誘起させるとともに電界伝達媒体に誘起された電界を検出して情報の送受信を行うトランシーバを利用して生体通信サービスを行う場合において、利用者が意図しないサービスの提供を防ぐことができるトランシーバ、及びトランシーバ用いたコンピュータシステムを提供することを目的とする。
【課題を解決するための手段】
【０００８】
上記目的を達成するため、請求項１記載の本発明は、送信すべき情報に基づく電界を電界伝達媒体に誘起させるとともにこの誘起した電界を検出して情報の送受信を行うトランシーバにおいて、電界伝達媒体に対して電界を誘起するとともに、電界伝達媒体に誘起された電界を受信する、適宜間隔をあけて配置された複数の送受信電極と、前記複数の送受信電極それぞれに対応して設けられ、受信した電界を電気的な受信信号に変換する複数の受信手段と、前記受信信号を受信情報として出力する出力手段と、前記複数の受信手段で受信したそれぞれの受信信号を比較し、それぞれの受信信号が一致した場合には、前記受信情報を出力するように前記出力手段を制御する比較判定手段と、を有することを要旨とする。
【０００９】
請求項２記載の本発明は、送信すべき情報に基づく電界を電界伝達媒体に誘起させるとともにこの誘起した電界を検出して情報の送受信を行うトランシーバにおいて、電界伝達媒体に対して電界を誘起するとともに、電界伝達媒体に誘起された電界を受信する、適宜間隔をあけて配置された複数の送受信電極と、前記複数の送受信電極それぞれに対応して設けられ、受信した電界を電気的な受信信号に変換する複数の受信手段と、前記受信信号を受信情報として出力する出力手段と、送信すべき情報である送信信号と、該送信信号を電界に誘起させた送受信電極とは異なる送受信電極から受信した前記受信信号とを比較し、前記受信信号に前記送信信号が含まれていた場合には、前記受信情報を出力するように前記出力手段を制御する比較判定手段と、を有することを要旨とする。
【００１０】
請求項３記載の本発明は、送信すべき情報に基づく電界を電界伝達媒体に誘起させるとともにこの誘起した電界を検出して情報の送受信を行うトランシーバにおいて、電界伝達媒体に対して電界を誘起するとともに、電界伝達媒体に誘起された電界を受信する、適宜間隔をあけて配置された複数の送受信電極と、前記複数の送受信電極それぞれに対応して設けられ、受信した電界を電気的な受信信号に変換する複数の受信手段と、前記受信信号を受信情報として出力する出力手段と、判定信号を生成するとともに、該判定信号を前記送受信電極のいずれかに送信する判定信号送信手段と、前記判定信号送信手段で生成された前記判定信号と、前記判定信号を電界に誘起させた送受信電極とは異なる送受信電極から受信した前記受信信号とを比較し、前記受信信号に前記判定信号が含まれていた場合には、前記受信情報を出力するように前記出力手段を制御する比較判定手段と、を有することを要旨とする。
【００１１】
請求項４記載の本発明は、請求項１乃至３のいずれか１項に記載の発明において、前記複数の送受信電極の電極間は、絶縁体で構成されていることを要旨とする。
【００１２】
請求項５記載の本発明は、送信すべき情報に基づく電界を電界伝達媒体に誘起させるとともにこの誘起した電界を検出して情報の送受信を行うトランシーバと、該トランシーバと相互に通信可能なコンピュータと、を備えたトランシーバを用いたコンピュータシステムにおいて、前記トランシーバは、電界伝達媒体に対して電界を誘起するとともに、電界伝達媒体に誘起された電界を受信する、適宜間隔をあけて配置された複数の送受信電極と、前記複数の送受信電極それぞれに対応して設けられ、受信した電界を電気的な受信信号に変換する複数の受信手段と、前記複数の受信信号に対応した複数の受信情報として前記コンピュータに出力する出力手段と、を有し、前記コンピュータは、前記複数の受信情報それぞれを比較する比較判定手段と、前記比較判定手段において前記複数の受信情報が一致した場合には、該受信情報を有効とする通信制御手段と、を有することを要旨とする。
【００１３】
請求項６記載の本発明は、送信すべき情報に基づく電界を電界伝達媒体に誘起させるとともにこの誘起した電界を検出して情報の送受信を行うトランシーバと、該トランシーバと相互に通信可能なコンピュータと、を備えたトランシーバを用いたコンピュータシステムにおいて、前記トランシーバは、電界伝達媒体に対して電界を誘起するとともに、電界伝達媒体に誘起された電界を受信する、適宜間隔をあけて配置された複数の送受信電極と、前記複数の送受信電極それぞれに対応して設けられ、受信した電界を電気的な受信信号に変換する複数の受信手段と、送信すべき情報を電界に誘起させた送受信電極とは異なる送受信電極から受信した前記受信信号を受信情報として前記コンピュータに出力する出力手段と、を有し、前記コンピュータは、前記送信すべき情報と前記受信情報とを比較する比較判定手段と、前記比較判定手段において前記受信情報に前記送信すべき情報が含まれていた場合には、該受信情報を有効とする通信制御手段と、を有することを要旨とする。
【００１４】
請求項７記載の本発明は、請求項５又は６に記載の発明において、前記複数の送受信電極の電極間は、絶縁体で構成されていることを要旨とする。
【発明の効果】
【００１５】
本発明によれば、送信すべき情報に基づく電界を電界伝達媒体に誘起させるとともに電界伝達媒体に誘起された電界を検出して情報の送受信を行うトランシーバを利用して生体通信サービスを行う場合において、利用者が意図しないサービスの提供を防ぐことができるトランシーバ、及びトランシーバ用いたコンピュータシステムを提供することができる。
【発明を実施するための最良の形態】
【００１６】
以下、本発明の実施の形態を図面を用いて説明する。
【００１７】
（第１の実施の形態）
図１は、本発明の第１の実施の形態に係るトランシーバ１の回路構成を示している図である。同図に示すトランシーバ１は、コンピュータ７（又はＰＣ８、以下同じ）からの送信データを入出力（Ｉ／Ｏ）回路９０１を介して受け取ると、この送信データを送信部９０２を介して送受信電極９０３ａに供給し、該送受信電極９０３ａおよび絶縁膜９０４ａを介して電界伝達媒体に電界を誘起させ、この電界を電界伝達媒体の他の部位に伝達させるようになっている。また、電界伝達媒体に誘起されて伝達されてくる電界を絶縁膜９０４ａおよび９０４ｂを介してそれぞれ送受信電極９０３ａおよび９０３ｂで検出し、この電界を受信部９１０ａおよび９１０ｂで電気信号（受信信号）に変換し、更に波形整形回路９０７ａおよび９０７ｂで波形整形してから、比較判定部１０１でそれぞれの受信信号を比較し、一致する場合には、受信信号１が入出力（Ｉ／Ｏ）回路９０１を介してコンピュータ７に出力されるようになっている。
【００１８】
ここで、比較判定部１０１は、さらに詳しくは、受信部９１０ａからの受信信号１と受信部９１０ｂからの受信信号２とを比較し、両受信信号が一致する場合には、Ｉ／Ｏ回路９０１を開き通信を有効にするが、一致しない場合には、Ｉ／Ｏ回路９０１を閉じ通信を無効にするような開閉制御をするようになっている。これは、生体が送受信電極９０３ａおよび９０３ｂの双方に触れているときは、両受信信号が等しいが、送受信電極９０３ａおよび９０３ｂのいずれか一方にだけ触れているときは、両受信信号が等しくないという考えのもとに制御を行うものである。尚、図１においては、受信信号１をＩ／Ｏ回路９０１に出力するようにしているが、受信信号１の代わりに受信信号２を出力するようにしてもよい。
【００１９】
図２はトランシーバ１の送受信電極９０３ａおよび９０３ｂの配置例を示している。図２（ａ）に示す電極９０３ａおよび９０３ｂは、二本の指の間隔をあけて同時に触れるような形態となっているので、利用者が明確な操作意思なく誤って電極９０３ａおよび９０３ｂの双方に触れることはなく、意図しないサービスの提供を確実に防ぐようになっている。尚、前提として、利用者は、トランシーバ９を携行しているので、利用者が電極９０３ａおよび９０３ｂに触れることにより、トランシーバ１および９間の利用者の生体を介した通信は成立するようになっている。また、形態電極９０３ａおよび電極９０３ｂの間には絶縁体６が配置されているので、これにより電界の漏れおよび他の電極からの影響を確実に防ぐことができるようになっている。
【００２０】
さらに、電極９０３は、図２（ａ）に示すようなむき出しで設置されてもよいし、図２（ｂ）に示すような指が入る穴の中に設置してもよい。
【００２１】
尚、トランシーバ１は、２つの送受信電極９０３ａおよび９０３ｂ、並びに送受信電極９０３ａおよび９０３ｂに対応して２つの受信部９１０ａおよび９１０ｂを備えているが、送受信電極９０３ｉ（ｉ＝ａ，ｂ，…，ｎ）および受信部９１０ｉ（ｉ＝ａ，ｂ，…，ｎ）の数は複数であれば、その数は限定されないものである。また、この点は、本実施の形態だけでなく、後述する第２乃至第５の実施の形態においても、同様である。
【００２２】
次に、本実施の形態に係るトランシーバ１の動作を図３を用いて説明する。ここで、図３は、トランシーバ１が、外部のトランシーバ９から生体を介して信号を受信した場合の動作を説明するフローチャートである。
【００２３】
まず、トランシーバ１の送受信電極９０３ａおよび９０３ｂが電界伝達媒体を介して信号を受信すると、受信部９０３ａおよび９０３ｂで受信した信号をそれぞれ比較判定部１０１に送信する（ステップＳ１０，Ｓ２０）。
【００２４】
次に、比較判定部１０１は、受信部９０３ａおよび９０３ｂで受信した信号が一致するか否かをチェックし、一致した場合には、Ｉ／Ｏ回路９０１を開くように制御するので、受信した信号は、Ｉ／Ｏ回路９０１を介してコンピュータ７に送信される（ステップＳ３０，４０）。一方、一致しない場合には、Ｉ／Ｏ回路９０１を閉じるように制御するので、受信した信号はＩ／Ｏ回路９０１を介してコンピュータ７に送信されない（ステップＳ３０，５０）。
【００２５】
従って、第１の実施の形態に係るトランシーバ１によれば、送信すべき情報に基づく電界を電界伝達媒体に誘起させるとともに電界伝達媒体に誘起された電界を検出して情報の送受信を行うトランシーバを利用して生体通信サービスを行う場合において、２つの送受信電極および受信部を備えて、２つの送受信電極から受信した信号それぞれを比較して、一致したときには通信を有効とするので、利用者が意図しないサービスの提供を確実に防止することができ、以て、生体通信サービスの利便性を向上させることができる。
【００２６】
（第２の実施の形態）
図４は、本発明の第２の実施の形態に係るトランシーバ２の回路構成を示している図である。同図に示すトランシーバ２は、コンピュータ７からの送信データを入出力（Ｉ／Ｏ）回路９０１を介して受け取ると、この送信データを比較判定部２０１に送信するとともに、送信部９０２を介して送受信電極９０３ａに供給し、該送受信電極９０３ａおよび絶縁膜９０４ａを介して電界伝達媒体に電界を誘起させ、この電界を電界伝達媒体の他の部位に伝達させるようになっている。また、電界伝達媒体に誘起されて伝達されてくる電界を絶縁膜９０４ａおよび９０４ｂを介してそれぞれ送受信電極９０３ａおよび９０３ｂで検出し、この電界を受信部９１０ａおよび９１０ｂで電気信号（受信信号）に変換し、更に波形整形回路９０７ａおよび９０７ｂで波形整形してから、比較判定部２０１で送信信号および受信信号２を比較し、受信信号２に送信信号が含まれる場合には、受信信号１が入出力（Ｉ／Ｏ）回路９０１を介してコンピュータ７に出力されるようになっている。
【００２７】
ここで、比較判定部２０１は、さらに詳しくは、Ｉ／Ｏ回路９０１からの送信信号と受信部９１０ｂからの受信信号２（送信部９０２が用いた送受信電極９０３ａとは異なる送受信電極９０３ｂからの受信信号）とを比較し、受信信号２にＩ／Ｏ回路９０１からの送信信号が含まれる場合には、Ｉ／Ｏ回路９０１を開き通信を有効にするが、全く含まれない場合には、Ｉ／Ｏ回路９０１を閉じ通信を無効にするような開閉制御をするようになっている。尚、図４においては、受信信号１をＩ／Ｏ回路９０１に出力するようにしているが、受信信号１の代わりに受信信号２を出力するようにしてもよい。
【００２８】
尚、本実施の形態においても、トランシーバ２の送受信電極９０３ａおよび９０３ｂの配置は、第１の実施の形態と同様であるので、これに関する説明は省略する。
【００２９】
次に、本実施の形態に係るトランシーバ２の動作を図５を用いて説明する。ここで、図５は、トランシーバ２が送信した信号を生体を介して受信した場合の動作を説明するフローチャートである。
【００３０】
まず、トランシーバ２は、送信信号を送信部９０２に送信するとともに、比較判定部２０１に送信する（ステップＳ１１０）。次に、送受信電極９０３ａおよび９０３ｂが電界伝達媒体を介して信号を受信すると、送受信電極９０３ｂで受信した信号を比較判定部１０１に送信する（ステップＳ１２０，Ｓ１３０）。
【００３１】
次に、比較判定部２０１は、送受信電極９０３ｂで受信した信号に送信信号が含まれるか否かをチェックし、含まれている場合には、Ｉ／Ｏ回路９０１を開くように制御するので、受信した信号は、Ｉ／Ｏ回路９０１を介してコンピュータ７に送信される（ステップＳ１４０，Ｓ１５０）。一方、全く含まれない場合には、Ｉ／Ｏ回路９０１を閉じるように制御するので、受信した信号はＩ／Ｏ回路９０１を介してコンピュータ７に送信されない（ステップＳ１４０，Ｓ１６０）。
【００３２】
従って、第２の実施の形態に係るトランシーバ２によれば、送信すべき情報に基づく電界を電界伝達媒体に誘起させるとともに電界伝達媒体に誘起された電界を検出して情報の送受信を行うトランシーバを利用して生体通信サービスを行う場合において、２つの送受信電極および受信部を備えて、送信した信号と、送信部が用いた送受信電極とは異なる送受信電極から受信した信号とを比較して、受信した信号に送信した信号が含まれていたときには通信を有効とするので、利用者が意図しないサービスの提供を確実に防止することができ、以て、生体通信サービスの利便性を向上させることができる。
【００３３】
また、これに加えて、利用者は必ずしもトランシーバを携行する必要はないという効果を得ることができる。
【００３４】
（第３の実施の形態）
図６は、本発明の第３の実施の形態に係るトランシーバ３の回路構成を示している図である。同図に示すトランシーバ３は、コンピュータ７からの送信データを入出力（Ｉ／Ｏ）回路９０１を介して受け取ると、この送信データを送信部９０２に送信するようになっている。また、判定信号送信部３０１が、判定信号を生成し、該判定信号を送信部９０２に送信するとともに、比較判定部３０２に送信するようになっている。そして、トランシーバ３は、送信データおよび判定信号を、送信部９０２を介して送受信電極９０３ａに供給し、該送受信電極９０３ａおよび絶縁膜９０４ａを介して電界伝達媒体に電界を誘起させ、この電界を電界伝達媒体の他の部位に伝達させるようになっている。また、電界伝達媒体に誘起されて伝達されてくる電界を絶縁膜９０４ａおよび９０４ｂを介してそれぞれ送受信電極９０３ａおよび９０３ｂで検出し、この電界を受信部９１０ａおよび９１０ｂで電気信号（受信信号）に変換し、更に波形整形回路９０７ａおよび９０７ｂで波形整形してから、比較判定部１０１で判定信号および受信信号２を比較し、受信信号２に判定信号が含まれる場合には、受信信号１が入出力（Ｉ／Ｏ）回路９０１を介してコンピュータ７に出力されるようになっている。
【００３５】
ここで、比較判定部３０２は、さらに詳しくは、判定信号送信部９０１からの判定信号と受信部９１０ｂからの受信信号２（送信部９０２が用いた送受信電極９０３ａとは異なる送受信電極９０３ｂからの受信信号）とを比較し、受信信号２に判定信号が含まれる場合には、Ｉ／Ｏ回路９０１を開き通信を有効にするが、全く含まれない場合には、Ｉ／Ｏ回路９０１を閉じ通信を無効にするような開閉制御をするようになっている。尚、図６においては、受信信号１をＩ／Ｏ回路９０１に出力するようにしているが、受信信号１の代わりに受信信号２を出力するようにしてもよい。
【００３６】
尚、本実施の形態においても、トランシーバ３の送受信電極９０３ａおよび９０３ｂの配置は、第１の実施の形態と同様であるので、これに関する説明は省略する。
【００３７】
次に、本実施の形態に係るトランシーバ３の動作を図７を用いて説明する。ここで、図７は、トランシーバ３が送信した判定信号を生体を介して受信した場合の動作を説明するフローチャートである。
【００３８】
まず、トランシーバ３の判定信号送信部３０１は、判定信号を生成すると、該判定信号を送信部９０２に送信するとともに、比較判定部３０２に送信する（ステップＳ２１０，Ｓ２２０）。次に、送受信電極９０３ａおよび９０３ｂが電界伝達媒体を介して判定信号を受信すると、受信部９０３ｂで受信した信号を比較判定部３０２に送信する（ステップＳ２３０，Ｓ２４０）。
【００３９】
次に、比較判定部３０２は、送受信電極９０３ｂで受信した信号に判定信号が含まれるか否かをチェックし、含まれる場合には、Ｉ／Ｏ回路９０１を開くように制御するので、受信した信号は、Ｉ／Ｏ回路９０１を介してコンピュータ７に送信される（ステップＳ２５０，Ｓ２６０）。一方、全く含まれない場合には、Ｉ／Ｏ回路９０１を閉じるように制御するので、受信した信号はＩ／Ｏ回路９０１を介してコンピュータ７に送信されない（ステップＳ２５０，Ｓ２７０）。
【００４０】
従って、第３の実施の形態に係るトランシーバ３によれば、送信すべき情報に基づく電界を電界伝達媒体に誘起させるとともに電界伝達媒体に誘起された電界を検出して情報の送受信を行うトランシーバを利用して生体通信サービスを行う場合において、２つの送受信電極および受信部、並びに判定信号生成部を備えることにより、生成した判定信号と、送信部が用いた送受信電極とは異なる送受信電極から受信した信号とを比較して、受信した信号に判定信号が含まれていたときには通信を有効とするので、利用者が意図しないサービスの提供を確実に防止することができ、以て、生体通信サービスの利便性を向上させることができる。
【００４１】
また、これに加えて、利用者は必ずしもトランシーバを携行する必要はないという効果を得ることができる。
【００４２】
（第４の実施の形態）
図８は、本発明の第４の実施の形態に係るトランシーバ１０とコンピュータ７０を備えるコンピュータシステム４の回路構成を示している図である。同図に示すトランシーバ１０は、コンピュータ７０からの送信データを入出力（Ｉ／Ｏ）回路９０１を介して受け取ると、この送信データを送信部９０２を介して送受信電極９０３ａに供給し、該送受信電極９０３ａおよび絶縁膜９０４ａを介して電界伝達媒体に電界を誘起させ、この電界を電界伝達媒体の他の部位に伝達させるようになっている。
【００４３】
また、電界伝達媒体に誘起されて伝達されてくる電界を絶縁膜９０４ａおよび９０４ｂを介してそれぞれ送受信電極９０３ａおよび９０３ｂで検出し、この電界を受信部９１０ａおよび９１０ｂでそれぞれ電気信号（受信信号）に変換し、更に波形整形回路９０７ａおよび９０７ｂで波形整形してから、入出力（Ｉ／Ｏ）回路９０１を介してコンピュータ７０に出力するようになっている。そして、コンピュータ７０は、比較判定部７２でそれぞれの受信データを比較し、一致する場合には、この通信を有効とするようになっている。
【００４４】
尚、本実施の形態においても、トランシーバ１０の送受信電極９０３ａおよび９０３ｂの配置は、第１の実施の形態と同様であるので、これに関する説明は省略する。
【００４５】
次に、本実施の形態に係るトランシーバ１０とコンピュータ７０を備えるコンピュータシステム４の動作を図９を用いて説明する。ここで、図９は、トランシーバ１０が、外部のトランシーバ９から生体を介して信号を受信した場合のトランシーバ１０およびコンピュータ７０の動作を説明するシーケンス図である。
【００４６】
まず、トランシーバ１０の送受信電極９０３ａおよび９０３ｂが電界伝達媒体を介して信号を受信すると、受信部９１０ａおよび９１０ｂがそれぞれ受信した信号を波状整形回路９０７ａおよび９０７ｂ、並びにＩ／Ｏ回路を介してコンピュータ７０に送信する（ステップＳ３１０，Ｓ３２０）
次に、コンピュータ７０の比較判定部７２は、受信部９０３ａおよび９０３ｂそれぞれから受信した受信データが一致するか否かをチェックし、一致した場合には、通信制御部７１が、この通信を有効とする（ステップＳ３３０，Ｓ３４０）。一方、一致しない場合には、通信制御部７１が、この通信を無効とする（ステップＳ３３０，Ｓ３５０）。
【００４７】
従って、第４の実施の形態に係るコンピュータシステム４によれば、送信すべき情報に基づく電界を電界伝達媒体に誘起させるとともに電界伝達媒体に誘起された電界を検出して情報の送受信を行うトランシーバを利用して生体通信サービスを行う場合において、２つの送受信電極および受信部を備えて、２つの送受信電極から受信した信号に基づく受信データそれぞれを比較して、一致したときには通信を有効とするので、利用者が意図しないサービスの提供を確実に防止することができ、以て、生体通信サービスの利便性を向上させることができる。
【００４８】
また、比較判定の動作をコンピュータに任せ、ソフト的に処理しているので、トランシーバのハード構成を簡単にすることができる。
【００４９】
（第５の実施の形態）
図１０は、本発明の第５の実施の形態に係るトランシーバ２０とコンピュータ８０を備えるコンピュータシステム５の回路構成を示している図である。同図に示すトランシーバ２０は、コンピュータ８０からの送信データを入出力（Ｉ／Ｏ）回路９０１を介して受け取ると、この送信データを送信部９０２を介して送受信電極９０３ａに供給し、該送受信電極９０３ａおよび絶縁膜９０４ａを介して電界伝達媒体に電界を誘起させ、この電界を電界伝達媒体の他の部位に伝達させるようになっている。尚、コンピュータ８０は送信データをトランシーバ２０に送信するとともに、比較判定部８２に送信するようになっている。
【００５０】
また、電界伝達媒体に誘起されて伝達されてくる電界を絶縁膜９０４ａおよび９０４ｂを介してそれぞれ送受信電極９０３ａおよび９０３ｂで検出し、この電界を受信部９１０ａおよび９１０ｂでそれぞれ電気信号（受信信号）に変換し、更に波形整形回路９０７ａおよび９０７ｂで波形整形してから、入出力（Ｉ／Ｏ）回路９０１を介してコンピュータ８０に出力するようになっている。コンピュータ８０は、比較判定部８２で、送信データと受信データ２を比較し、受信データ２に送信データが含まれる場合には、この通信を有効とするようになっている。
【００５１】
尚、本実施の形態においても、トランシーバ２０の送受信電極９０３ａおよび９０３ｂの配置は、第１の実施の形態と同様であるので、これに関する説明は省略する。
【００５２】
次に、本実施の形態に係るトランシーバ２０とコンピュータ８０を備えるコンピュータシステム５の動作を図１１を用いて説明する。ここで、図１１は、トランシーバ２０が、送信した信号を生体を介して受信した場合のトランシーバ２０およびコンピュータ８０の動作を説明するシーケンス図である。
【００５３】
まず、トランシーバ２０の送受信電極９０３ａおよび９０３ｂが電界伝達媒体を介して信号を受信すると、受信部９１０ｂが受信した信号を波状整形回路９０７ｂ、並びにＩ／Ｏ回路を介してコンピュータ８０に送信する（ステップＳ４１０，Ｓ４２０）
次に、コンピュータ８０の比較判定部８２は、受信部９１０ｂから受信した受信データに送信データが含まれるか否かをチェックし、含まれる場合には、通信制御部８１が、この通信を有効とする（ステップＳ４３０，Ｓ４４０）。これに対して、全く含まれない場合には、通信制御部８１が、この通信を無効とする（ステップＳ４３０，Ｓ４５０）。
【００５４】
従って、第５の実施の形態に係るコンピュータシステム５によれば、送信すべき情報に基づく電界を電界伝達媒体に誘起させるとともに電界伝達媒体に誘起された電界を検出して情報の送受信を行うトランシーバを利用して生体通信サービスを行う場合において、２つの送受信電極および受信部を備えて、送信データと、送信部が用いた送受信電極とは異なる送受信電極から受信した受信データとを比較して、受信データに送信データが含まれていたときには通信を有効とするので、利用者が意図しないサービスの提供を確実に防止することができ、以て、生体通信サービスの利便性を向上させることができる。
【００５５】
また、比較判定の動作をコンピュータに任せ、ソフト的に処理しているので、トランシーバのハード構成を簡単にすることができるという効果、および利用者は必ずしもトランシーバを携行する必要はないという効果を得ることができる。
【００５６】
を得ることができる。
【００５７】
以上、本発明の実施の形態について説明してきたが、本発明の要旨を逸脱しない範囲において、本発明の実施の形態に対して種々の変形や変更を施すことができる。例えば、上記実施の形態においては、複数の送受信電極および受信部を備えるトランシーバ１、２、３、１０および２０を前提に説明してきたが、本発明はこれに限定されるわけではなく、従来のトランシーバ９を複数備えることで、結果として複数の送受信電極および受信部を備えるトランシーバを構成し、該トランシーバを用いたコンピュータシステムとして本発明の機能を実現させてもよいものである。
【００５８】
また、送受信電極９０３ｉ（ｉ＝ａ，ｂ，…，ｎ）の構成は、図２に示すような形態に限定されるわけではなく、他の形態、例えば、図１２（ａ）乃至（ｄ）に示すような形態であってもよいものである。ここで、図１２（ａ）は、手形タイプの電極９０３ｉを示すものであり、手のひらおよび複数の指を電極に当てて、サービスを開始するものである。また、図１２（ｂ）および（ｃ）は、両手タイプおよび直立タイプの電極９０３ｉを示すものであり、二本の腕を電極に当てて通信したり、足と片手、あるいは両手を当てることでサービスを開始するものである。さらに、図１２（ｄ）は、ゲームに適用される場合を想定したもので、床、壁、および天井などに配置された複数の電極に同時に触れることで、ゲームが開始されるものである。
【図面の簡単な説明】
【００５９】
【図１】本発明の第１の実施の形態に係るトランシーバの回路構成を示すブロック図である。
【図２】本発明の第１の実施の形態に係るトランシーバの電極を説明する図である。
【図３】本発明の第１の実施の形態に係るトランシーバの動作を説明するフローチャートである。
【図４】本発明の第２の実施の形態に係るトランシーバの回路構成を示すブロック図である。
【図５】本発明の第２の実施の形態に係るトランシーバの動作を説明するフローチャートである。
【図６】本発明の第３の実施の形態に係るトランシーバの回路構成を示すブロック図である。
【図７】本発明の第３の実施の形態に係るトランシーバの動作を説明するフローチャートである。
【図８】本発明の第４の実施の形態に係るトランシーバを用いたコンピュータシステムの回路構成を示すブロック図である。
【図９】本発明の第４の実施の形態に係るトランシーバを用いたコンピュータシステムの動作を説明するシーケンス図である。
【図１０】本発明の第５の実施の形態に係るトランシーバを用いたコンピュータシステムの回路構成を示すブロック図である。
【図１１】本発明の第５の実施の形態に係るトランシーバを用いたコンピュータシステムの動作を説明するシーケンス図である。
【図１２】トランシーバの電極の配置の一例を説明する図である。
【図１３】トランシーバを介してウェアラブルコンピュータを人間に装着して使用する場合の例を示す説明図である。
【図１４】従来のトランシーバの回路構成を示すブロック図である。
【符号の説明】
【００６０】
１，２，３，１０，２０  トランシーバ
４，５ トランシーバを用いたコンピュータシステム
６  絶縁体
７，７０，８０  コンピュータ
８  ＰＣ、サーバ
７１，８１  通信制御部
７２，８２  比較判定部
１０１，２０１，３０２  比較判定部
３０１  判定信号送信部
９０１  Ｉ／Ｏ回路
９０２  送信部
９０３  送受信電極
９０４  絶縁膜
９０５  電界検出光学部
９０６  信号処理回路
９０７  波形整形回路
９１０  受信部
【図１】
2005159618.tif 000003
【図２】
2005159618.tif 000004
【図３】
2005159618.tif 000005
【図４】
2005159618.tif 000006
【図５】
2005159618.tif 000007
【図６】
2005159618.tif 000008
【図７】
2005159618.tif 000009
【図８】
2005159618.tif 000010
【図９】
2005159618.tif 000011
【図１０】
2005159618.tif 000012
【図１１】
2005159618.tif 000013
【図１２】
2005159618.tif 000014
【図１３】
2005159618.tif 000015
【図１４】
2005159618.tif 000016